Podtech/llm-jp-corpus-v4-ja_patent huggingface dataset:
(57)【要約】      （修正有）【課題】被処理物は装置ケーシングの内部で何回も攪拌分散されより均一シャープな分散性能を得られ、且つ装置の圧力をコントロールできる分散乳化装置の提供。【解決手段】初段目ステーター２−２の前にステーターの内円と外円を貫通した還流通路６を設け、それにより圧力をそこで釈放し、且つ一回処理した製品はそこからロータ１−２の吸い込みに入って再び処理する。【選択図】図５
2010099592.tif 000002
【特許請求の範囲】
【請求項１】
本発明は回転型乳化分散装置に関する技術である。本発明装置はベースに固定してあるケーシング５があって、ケーシングに固定してあるステーター２があり、また、ケーシング５の中に自由回転出来るシャフト４があって、シャフトに着装してシャフトと共に回転するロータ１があり、その特徴は、初段目のステーター２−２の前に、ステーターの内円と外円を貫通した還流通路6を設けてあり、終段目ロータ１−１から出た被処理物はこの還流通路６を通して初段目ロータ１−２の吸込み口へ戻る事が出来、この還流通路の隙間を調整することで、ケーシング内の圧力をコントロールする事が出来る構造である。
【請求項２】
請求項１による回転型乳化分散装置は、その還流通路に逆止リリーフ弁９を設置することで装置の圧力をコントロールすることもできる構造である。
【請求項３】
請求項１と２による回転型乳化分散装置は、吐出口３を還流通路の前に移し、還流通路６と吐出口３の間に邪魔板７を設置して、邪魔板に明けてある分級孔８の位置により細かく分散された被処理物だけを通過させ，ほかの部分は還流通路を通して再び攪拌分散させる構造である。
【発明の詳細な説明】
【技術分野】
【０００１】
本発明は回転型乳化分散装置に関する技術である。
【背景技術】
【０００２】
回転型乳化分散装置は産業界で広範に使われている。従来の装置は大抵ポンプのように吸込み口があって、ケーシングの中に遠心ポンプ羽根車のように歯が付いてある攪拌ロータがあり、ロータが回転すると、被処理物がケーシング内に吸込まれ、ロータの歯から与えられた遠心力でステーターにぶつかって粉砕分散攪拌され、また、その遠心力で生じた圧力により被処理物は吐出口から排出される。
【０００３】
より均一シャープな分散性能を獲得するため、ロータとステーターを多段にするか、装置からタンクに排出された被処理物を再び装置に導入して何回も再処理する方法は通常に使われている。しかしロータが多段にすると、多段ポンプのように高圧が発生し、メカニカルシールの冷却循環水も高圧で対応しなければならなく増圧ポンプが必要になる。また、吐出口からタンクに排出された被処理物を再び装置に導入する場合は、装置がオープンになりインライン生産は出来ないという問題がある。
【発明の開示】
【発明が解決しようとする課題】
【０００４】
本発明は高圧力を発生しない、且つ、被処理物は装置内で何回も処理できるインライン式乳化分散機を提供することを目標にしている。
【課題を解決するための手段】
【０００５】
回転型乳化分散装置はロータの遠心力によりポンプの機能があるので、従来型の原理は図３のように、また、本発明の原理は図１のように示す事が出来る。即ち、構造図４に示したように、従来の初段目ステーター２−２の前にステーターの内円と外円を貫通した還流通路６を設け、終段目ロータ１−１から出た被処理物はこの還流通路を通して初段目ロータ１−２の吸込み口に還流して圧力をそこで釈放出来るような構造にしている。
【発明の効果】
【０００６】
上述のように、初段目ステーター２−２の前に内面と外面を貫通した還流通路６を設けたことで、終段目ロータ１−１から出た被処理物の圧力はこの還流通路を通して吸込み口に釈放され、還流通路の隙間を調整することでケーシング５内の圧力はコントロール出来るようになる。また、この還流された被処理物は初段目ロータ１−２の吸込み口に入り再び攪拌分散され、より均一でシャープな分散性能が得られるようになる。
【発明を実施するための最良の形態】
【０００７】
図４に示しているように、本発明は、ベースに固定してあるケーシング５があって、ケーシングに固定してあるステーター２があり、また、ケーシング５の中に自由回転出来るシャフト４があって、シャフトに着装してシャフトと共に回転するロータ１があり、また、初段目のステーター２−２の前に、ステーターの内面と外面を貫通した還流通路6を設けてあり、終段目ロータ１−１から出た被処理物はこの還流通路６を通して初段目ロータ１−２の吸込み口へ戻る事が出来、この還流通路の隙間を調整することでケーシング内の圧力をコントロールする事が出来る構造にしてある。
【０００８】
上述した内循環乳化分散装置の還流通路に、図６に示しているような逆止リリーフ弁９を設置する事で圧力をコントロールする構造にする事も出来る。図２はその原理図であ
る。
【０００９】
また、攪拌分散された被処理物はケーシング内で回転しながら吐出口へ流れ、その分散分布状態は比重により回転直径が異なり、図５に示しているように、吐出口３を還流通路の前に移し、還流通路６と吐出口３の間に邪魔板７を設置して、邪魔板に明けてある分級孔８の位置により細かく分散された被処理物だけを通過させ，ほかの部分は還流通路を通して再び攪拌分散させる構造にする事も出来る。
【産業上の利用可能性】
【００１０】
本発明は上述した内循環構造により、ロータの段数を増えても回転速度を増えてもケーシング内の圧力が増えずにコントロールすることが出来、メカニカルシールの冷却水に増圧ポンプを設置する必要がなく、また、還流された被処理物は再び攪拌分散され、分散性能を向上することが図れる。
【００１１】
また、本発明は上述した邪魔板を設置することにより、細かく分散された部分だけを通過させ、ほかの部分を還流させ再び攪拌分散され、乳化分散性能を向上することが図れる。
【図面の簡単な説明】
【００１２】
【図１】本発明の原理を示す図面である。
【図２】本発明の逆止弁を設置した原理図である。
【図３】従来の乳化分散機の原理図である。
【図４】本発明の構造図である。
【図５】本発明の邪魔板を設置した構造図である。
【図６】本発明の逆止弁を設置した構造図である。
【符号の説明】
【００１３】
1-1終段目ロータ
1-2初段目ロータ
2-1終段目ステーター
2-2初段目ステーター
3  吐出口
4  シャフト
5  ケーシング
6  還流通路
7  邪魔板
8  分級孔
9  逆止リリーフ弁
【図１】
2010099592.tif 000003
【図２】
2010099592.tif 000004
【図３】
2010099592.tif 000005
【図４】
2010099592.tif 000006
【図５】
2010099592.tif 000007
【図６】
2010099592.tif 000008
(57)【要約】【課題】  クッションの中に、ウレタンを入れることによって、家の中の狭い所でも、比較的静かに、その場マラソンができる、足踏みクッションを提供する。【解決手段】  家の中の狭い場所でも、比較的静かに、その場マラソンができるという、クッションの中にウレタンを入れたことを特徴とする。【選択図】図１
2010099426.tif 000002
【特許請求の範囲】
【請求項１】
クッション（１）の中に衝撃を吸収できるウレタン（２）を入れることによって、比較的静かに、ウレタン（２）部分を足踏みすることによって、家の中の狭い所でも、その場マラソンができるクッションである。
【発明の詳細な説明】
【技術分野】
【０００１】  この発明は、クッション（１）の中に、衝撃を吸収できるウレタン（２）を入れた、クッションに関するものである。
【背景技術】
【０００２】  従来、クッションは、綿などの柔らかいものが主に入れられていた。
【発明が解決しようとする課題】
【０００３】  運動不足を解決するため、従来のクッションでは、その場マラソンをするには、柔らかいので、床に響いたりして、続けるのが困難である。かと言って、外で、その場マラソンをするにも、季節が夏の場合、蚊などの虫刺され等の心配もあり、この場合も、困難である。
本発明は、以上のような欠点を、なくすために、作ったものである。
【０００４】  クッション（１）の中に、ウレタン（２）を設ける。
本発明は、以上の構成よりなる、ウレタン入りクッションである。
【発明の効果】
【０００５】  クッション（１）の中に、ウレタン（２）を、入れることにより、足でそこを踏んだ時の衝撃が吸収されて、比較的静かに、家の中の狭い所でも、気軽に、その場マラソンができる。
【発明を実施するための最良の形態】
【０００６】  以下、本発明を実施するための最良の形態について説明する。
クッション（１）の中にウレタン（２）を入れる。ウレタン（２）を、足踏みすることにより、家の狭い所でも、その場マラソンができて、運動不足の解消になる。
【図面の簡単な説明】
【０００７】
【図１】本発明の斜視図である
【図２】本発明の断面図である
【符号の説明】
【０００８】  １  クッション
２  ウレタン
【図１】
2010099426.tif 000003
【図２】
2010099426.tif 000004
(57)【要約】【課題】  従来のナースコール端末子機は、介護福祉施設の入居者や医療機関の入院患者などのうち、特に重度の身体障害者や重病患者などにとって、必須で緊急のコールを発信することは容易ではない。そこで、施設や病院の職員などが市販品に色々な手を加えて利用者に供しているが、今なお苦慮している。本発明は施設の入居者や病院の患者にとって、ナースコール端末子機を実用性と利便性の高いものとするもの。【解決手段】  ナースコール端末子機を、装身具的な型式・形状・デザインで小型で軽量なものとし、さらに無線式とすることにより、利用者としては常に身近に装着でき、必要な時にすぐコール信号を発することができる。【選択図】図１
2010099430.tif 000002
【特許請求の範囲】
【請求項１】
介護・福祉施設または医療機関などの居室や入院病室のベッドサイドに整備されるナースコール端末子機であって、腕時計型・指輪型・リストバンド型・ブローチ型・カチューシャ型・装着マイク型およびアンクレット型などの装身具型とするもの。
【請求項２】
無線送受信式とした請求項１記載のナースコール端末子機。
【発明の詳細な説明】
【技術分野】
【０００１】  本発明は、介護・福祉施設の入居者や医療機関の入院患者などが、ケア職員や看護師に緊急で必須の呼出し信号を発信するナースコール端末子機に関するもの。
【背景技術】
【０００２】  従来のナースコール端末子機の代表的なものは、ベッド上に置かれた押ボタン式のものであり、有線にてベッド横の壁面に取り付けられた接続箱につながっている。その他、ベッドの枕元部分などにハンガー式やホルダー式のサポート器具をセットして、利用者の身近に配置することも出来る。【０００３】  従来の押ボタン式のナースコール端末子機で、足でボタンを押すものもある。【０００４】  従来のマルチケアコール式のナースコール端末子機で、固定用具を介して電気スタンド型のものを、ベツド枕元付近に配置するものもある。【０００５】  これら従来のものは、ほとんど有線式のもので、ベッド横の壁面に取り付けられた接続箱につながっている。
【発明が解決しようとする課題】
【０００６】  従来のナースコール端末子機では、常に利用者の身近に配置して障害の種類と程度や疾患の部位や程度に対応させることが、極めて困難である。
【０００７】  本発明は、このような従来のナースコール端末子機が有していた問題を解決しょうとするものである。
【０００８】  利用者が、ベッド上に居る時は勿論、ベッド上以外の場所に居る場合においても、ナースコール端末子機を使用できることを目的とする。
【０００９】  入居者の障害の種類と程度や、入院患者の疾患の部位と程度にかかわらず、ナースコール端末子機を容易に使用できることを目的とする。
【課題を解決するための手段】
【００１０】  本発明は、上記目的を達成するために、ナースコール端末子機を常に利用者の身近に配置させるために装身具型として、腕・指・肘・足首などに装着できる構成としたものである。
【００１１】  本発明は、装身具型のナースコール端末子機を利用者に直接装着させることにより、利用者の気分を和らげ無聊をなぐさめる二次効果もある。
【００１２】  本発明は、さらに装身具型のナースコール端末子機を無線化することにより、利用者がベッド上に居る場合のみならず、ベッドを離れた居室や病室内の他、室外の廊下や、その他の場所に居る場合にも実用性が高いものとなる。
【発明の効果】
【００１３】  上述したように本発明のナースコール端末子機は、障害者や患者の利用者にとって、常に身近に存在し容易に操作できるという、大きな実用効果を発揮する。
【発明を実施するための最良の形態】
【００１４】  以下、本発明の実施の形態を腕時計型を例として、図１ならびに図２に基づいて説明する。【００１５】  図においては、ナースコール端末子機本体１に装着バンド１０を取り付けて、腕時計型としたものである。【００１６】  ナースコール端末子機本体１の上面と側面に、利用者とのインターフェース部分すなわち、押ボタン４・タッチボタン５・マイク孔６・呼気孔７・スピーカー孔８などを配置するものである。【００１７】  電源ボタン２による電源ＯＮの操作は、ナースコール端末子機の利用者への装着時、予めケア職員や看護師などによりなされるものとし、電源ランプ３が点灯し確認できる。【００１８】  利用者は、通常の腕時計の盤面を見たり、触れたりするような感覚で、インターフェース部分を、押すこと・タッチすること・音声を発すること・息を吹き掛けることなどの動作にて、容易にコール信号の発信をすることができる。発信されたコール信号が、ナースコール親機などで受信されたことは、コールランプ９の点滅で確認できる。【００１９】  図１ならびに図２に示す装着バンド１０を、他の形状・デザインとすることにより、指輪型・リストバンド型ならびにアンクレット型などのナースコール端末子機とすることができる。
【産業上の利用可能性】
【００２０】  本発明は、請求項１ならびに請求項２に記した以外に、広範囲に応用可能である。【００２１】  現在一般に、携帯電話機やポケットＰＣなどの電子式携帯端末機器（ＰＤＡ）は、単体をバッグや衣服のポケットに収納したり、ネックストラップを介してぶら下げている。このような携帯方法では出し入れ時、手が滑って機器を落下させたり、置き忘れたりすることが少なくない。電子式携帯端末機器は、今後益々小型軽量化されることに疑いの余地はない。
本発明は、今後益々小型軽量化される電子式携帯端末機器を常に身近に配置させ、対応操作が必要となった時に、即応できる実用性がある。
【図面の簡単な説明】
【００２２】
【図１】本発明による、腕時計型とした場合の正面図である。
【図２】本発明による、腕時計型とした場合の平面図である。
【符号の説明】
【００２３】    １    ナースコール端末子機本体
２    電源ボタン
３    電源ランプ
４    押ボタン
５    タッチボタン
６    マイク孔
７    呼気孔
８    スピーカー孔
９    コールランプ
１０  装着バンド
【図１】
2010099430.tif 000003
【図２】
2010099430.tif 000004
(57)【要約】【課題】糖尿病患者は、自己で微量採血用穿刺器具を使用し血糖値測定する際、穿刺時疼痛緩和の具体的な器具が無かった為、血糖値自己測定が苦痛なる。本発明は微量採血穿刺時疼痛緩和の疼痛緩和携帯小型冷却器具を提供する。【解決手段】微量採血用穿刺器具使用時の疼痛緩和として使用前に本発明器具にて採血穿刺する指先部▲９▼に、抗菌トレー▲１▼を押すと、ペルチエ▲２▼が吸熱し採血穿刺する指先部▲９▼を冷却。一時的に穿刺部位の感覚を麻痺させ穿刺時疼痛緩和する。抗菌トレー▲１▼から離せば穿刺する指先部▲９▼の冷却調整でき安全簡単に冷却器具を使用出来る。【選択図】図２（使用状態を示す断面図）
2010099437.tif 000002
【特許請求の範囲】
【請求項１】
小型ペルチエ素子の冷却面に抗菌トレーを装着し微量採血穿刺する指先部を抗菌トレーに乗せ押す間、穿刺部位を冷却、穿刺部位を抗菌トレーから離すことで簡単に冷却調整でき、携帯可能な電池式小型構成の微量採血穿刺時疼痛緩和の糖尿病患者用穿刺疼痛緩和携帯小型冷却器具。
【発明の詳細な説明】
【技術分野】
【０００１】本発明は、糖尿病患者が血糖値自己測定する際、微量採血穿刺時の疼痛緩和を目的とした糖尿病患者用穿刺疼痛緩和携帯小型冷却器具に関するものである。
【背景技術】
【０００２】糖尿病患者は、自己で微量採血用穿刺器具を使用し血糖値測定する際、穿刺時疼痛緩和の具体的な器具が無い。
特許公開２００４−３３７４４９（穿刺時疼痛緩和用瞬間冷却シート）や特許公開２００４−３３７２９６（穿刺時疼痛軽減の冷却装置）の冷却効果の物はあるが、本発明の糖尿病患者用、穿刺時の疼痛緩和携帯小型冷却器具とは異なる。
【発明開示】
【発明が解決しようとする課題】
【０００３】糖尿病患者は、自己で微量採血用穿刺器具を使用し血糖値測定する際、穿刺時疼痛緩和の具体的な器具が無かった為、血糖値自己測定が苦痛なる。本発明は微量採血穿刺時疼痛緩和の疼痛緩和携帯小型冷却器具を提供する。
【課題を解決するための手段】
【０００４】微量採血用穿刺器具使用時の疼痛緩和として使用前に本発明器具にて採血穿刺する指先部▲９▼に、抗菌トレー▲１▼を押すと、ペルチエ▲２▼が吸熱し採血穿刺する指先部▲９▼を冷却。一時的に穿刺部位の感覚を麻痺させ穿刺時疼痛緩和する。抗菌トレー▲１▼から離せば穿刺する指先部▲９▼の冷却調整でき安全簡単に冷却器具を使用出来る。
【発明の効果】
【０００５】微量採血用穿刺器具の使用前に採血穿刺する指部を本発明器具にて一時的に穿刺部位の感覚を麻痺させ疼痛緩和。糖尿病患者が苦痛を感じること無く、血糖値自己測定することが可能になる。
【実施例１】
【０００６】図１に示すように、小型ペルチエ素子冷却面▲２▼に抗菌トレー▲１▼を装着し採血穿刺する指先部▲９▼を抗菌トレー▲１▼に乗せ押すとスプリング▲５▼が収縮し通電スイッチ▲６▼が入り、採血穿刺する指先部▲９▼を冷却。採血穿刺する指先部▲９▼を抗菌トレー▲１▼からを離すことでスプリング▲５▼が伸び、通電スイッチ▲６▼の通電状態が切れ穿刺部位の冷却調整が安全簡単に出来る。【０００７】小型ペルチェ素子▲２▼の吸熱効果を上げる為、小型ペルチェ素子放熱面▲３▼を放熱板▲４▼に装着し小型ペルチエ素子▲３▼の放熱効果を上げることにより小型ペルチェ素子▲２▼の吸熱効果を上げる。【０００８】本発明器具のプレート部に雑菌が繁殖しないように抗菌トレー▲１▼を採用し簡単に殺菌消毒出来る構成にしている。【０００９】糖尿病患者が常時携帯し、血糖値自己測定できるように本発明器具を電池▲７▼使用の小型構造にした。【００１０】実例では、電池▲７▼を使用したが、充電器やアダプターを使用する方法もあり、形は円柱デザインに限定するものではない。
【図面の簡単な説明】
【００１１】
【図１】本発明の部品図の一例である。
【図２】本発明の使用状態を示す断面図の一例である。
【符号の説明】
▲１▼・・・冷却抗菌トレー
▲２▼・・・小型ペルチェ素子（冷却面）
▲３▼・・・小型ペルチェ素子（放熱面）
▲４▼・・・放熱板
▲５▼・・・スプリング
▲６▼・・・通電スイッチ
▲７▼・・・電池
▲８▼・・・抗菌ケース
▲９▼・・・採血穿刺する指先部
【図１】
2010099437.tif 000003
【図２】
2010099437.tif 000004
(57)【要約】      （修正有）【課題】両手でシャフトを握るのではなく片手で握り肩が支点になるように前後にストロ−クしパットをする正面パターを提供する。【解決手段】パターのシャフトの取り付け位置や傾斜角を変える事により、打球方法を横向きから正面を向き体の側面で振り子のように、前後にスライドさせ、ヘッドアップなどや体のぶれによるストロークミス、つまりフェースの引っ掛けや開きなどを少なくとも削減出来る。更に、ロングパット及び傾斜などで距離感が合わせやすくストローク出来る正面パターである。【選択図】図１
2010099432.tif 000002
【特許請求の範囲】
【請求項１】
パッティングの横向きストロークから、正面を向き体の側面で肩を支点にストロ−クするパタ−用具。
【発明の詳細な説明】
【発明の詳細な説明】
【技術分野】
【０００１】  この発明は、パターのシャフトの取り付け位置や傾斜角を変える事により、打球方法を横向きから正面を向き体の側面で振り子のように、前後にスライドしパットをする用具。
【背景技術】
【０００２】  従来のパターは、殆んどがヒール側にシャフトが取り付けられ、フェース面の方向に斜めになっている。これはアラインメントの規則により１０度以上の傾斜角を必要とする。クラブヘッドはグリップより前方にセットする為、ストローク時にヘッドはどうしても弧を描きやすく長い距離、短い距離に関係なくヘッドアップや体のぶれなどによりフェースがかぶり引っ掛けやプッシュアウトが出やすい。
【発明が解決しようとする課題】
【０００３】  従来の方法は次のような問題点があった。
両手でグリップを握って左右にスライドする為、フェースがかぶり引っ掛けやプッシュアウトが出やすかった。それを解決する為に、握り方を替えたり、シャフトの長さを替えたり色んな方法を生み出されて来た。本発明も以上の問題点を解決する為に発明したものである。
【課題を解決するための手段】
【０００４】  この発明は、アラインメントの規則、シャフトの直線性、シャフトの曲げ特性とねじれ特性、クラブシャフトの取り付け位置のなど、すべての規則に属し使用方法を考えたものである。打球方法は以前の横向きから正面を向きストロークする。又、以前のように両手でシャフトを握るのではなく片手で握り肩が支点になるように前後にストロ−クしパットをする用具。但し、ストロークが不安定の時は反対の手でグリップ上部を支えて両手でする場合もある。
【発明を実施するための最良の形態】
【０００５】  以下、本発明の実施の形態について説明する。パターヘッドの背面（３）の中央付近にネック（７）を設け、シャフト（１）を取り付ける。振り子のようにストロークする為、シャフトの角度は垂直が良いのだがアラインメント規則の傾斜角が手前ヒール（５）側に１０度以上必要とあるが、あまり角度を付けると足元から遠くなるので振り子のようなストロークが困難になる。又、シャフト（１）を後方に１０度未満の傾斜の規則があるがこちらは垂直より傾斜を設ける事により、ストロークがスムーズに出来る。
まず、ボール（８）を、足（９）横のつま先付近にセットし、グリップ（４）を片手で握り肩を支点にし、振り子のように前後にストロークする。この時の体の重心はパターを握っている側の足に全体重を乗せる感じでする。これは出来るだけボールを上から見るためと振り子のようにストロークしやすく為である。又、ライン上から正面を向いてパットすればルール上違反であるが、側面からでは問題ない。
【発明の効果】
【０００６】ゴルフ番組で、ゴルフボールを片手で握り、正面を向き、カップに向かってほり投げると、初心者でもベテランでも短い距離は勿論、長い距離も一回で入ったり、カップに近づく事が、実証された。又、パターは横向き打法でするものと思われて来たが、その概念を捨てこの発明が生まれた。手で投げる感覚で、肩を支点にし、振り子のように前方に押し出す為、ヘッドアップがなく、引っ掛けやヘッドの開きなども殆どない。又、振り子運動のストロ−クなので目標に真っ直ぐにストロ−クが出来、スリーパットの削減は勿論、長い距離でもワンパットが可能になる正面パターを提供する。
【図面の簡単な説明】
【図１】本発明の傾斜図
【図２】本発明の正面図
【図３】本発明のシャフトの位置を変えた正面図
【図４】本発明の側面図
【図５】本発明の使用状態を示す低面図
【符号の説明】
１  シャフト
２  フェース
３  ヘッドの背面
４  グリップ
５  ヒール
６    トー
７  ネック
８  ボール
９  足の位置
【図１】
2010099432.tif 000003
【図２】
2010099432.tif 000004
【図３】
2010099432.tif 000005
【図４】
2010099432.tif 000006
【図５】
2010099432.tif 000007
(57)【要約】【課題】  通常、重量物の板物を運搬するとき、フォークリフト等の重機が使用できない場所では人手で持つしかなかった。例えば、ＡＬＣ等の壁板は、１枚、４０キロから６０キロあり、それを何十枚も運ぶと、腕に掛かる負担が大きかった。  本発明は腕と腰に掛かる負担を軽減するための板物運搬補助具を提供する。【解決手段】  Ｌ字型の受け板に、側板、取っ手を設け、回転可能になるように当て板を取り付け、肩に掛けられるようにバンドを取り付ける。【選択図】図１
2010099438.tif 000002
【特許請求の範囲】
【請求項１】
運搬補助具本体はＬ字型の受け板に板物の厚さ以上離れた両側に側板を設け、側板の間に取っ下を設け、当て板を回転軸により回転可能になるように取り付け、肩に掛けられるようにバンドを取り付けた板物運搬補助具。
【発明の詳細な説明】
【技術分野】
【０００１】  本発明は、重量物の板物を人手によって運搬するときに使用する板物運搬補助具に関するものである。
【背景技術】
【０００２】  従来、重くて大きい板物を持つとき、体に対して腕の外側で腕をひねった状態で持っていたため、腕に掛かる負担が大きかった。
なお、重量物を持つ補助具として、重量物の運搬補助具（特許文献１）、運搬用補助金具（特許文献２）が知られている。
【特許文献１】  特開平１１−１９６９２１号公報
【特許文献２】  実開平３−７８４２０号公報
【発明の開示】
【発明が解決しようとする課題】
【０００３】  通常、重量物の板物を運搬するとき、フォークリフト等の重機が使用できない場所では人手で持つしかなかった。例えば、ＡＬＣ等の壁板は、１枚、４０キロから６０キロあり、それを何十枚も運ぶと、腕に掛かる負担が大きく、作業する際に重労働となり、作業者にとっては苦痛であった。
また、知られている従来の技術（特許文献１）、（特許文献２）では、板物に対応できていない。
本発明は以上の問題点を解決するものである。
【課題を解決するための手段】
【０００４】  運搬補助具本体は、Ｌ字型の受け板に、板物の厚さ以上離れた両側に側板を設け、側板の間に取っ手を設ける。当て板を回転軸により回転可能になるように運搬補助具本体に取り付ける。運搬補助具本体に、肩に掛けられるようにバンドを取り付ける。
以上の構成によりなる板物運搬補助具。
【発明の効果】
【０００５】  従来、重くて大きい板物を持つとき、体に対して腕の外側で腕をひねった状態で持っていたため、腕に掛かる負担が大きかったが、本発明により、腕をひねらないで持つことを可能にした。また、バンドを肩に掛ける事により、重心が体の中心に近づくため、さらに腕と腰に掛かる負担は小さくなる。また、当て板を回転させることで板物を受け板と当て板で挟んで固定し、面で押える事により板物に傷がつきにくくなる。
本発明により、腕と腰の負担が軽減されるため腱鞘炎やヘルニアになりにくくなる。
本発明は、壁板の他に鉄板やベニヤ板や畳などにも使うことが出来る。
【発明を実施するための最良の形態】
【０００６】  以下、本発明の実施の形態を説明する。
（イ）運搬補助具本体（１）はＬ型の受け板（３）に、板物の厚さ以上離れたところに、      側板（２）を両側に設ける。
（ロ）側板の間の後部に取っ手（４）を設ける。
（ハ）受け板（３）と当て板（５）の間に板物（８）が挟まるように、当て板（５）を側      板（２）の間に回転軸（６）により、回転可能になるように取り付ける。
（ニ）運搬補助具（１）に肩に掛けられるように、バンド（７）を取り付ける。
（ホ）受け板（３）の後部を少し丸める。
本発明は以上のような構造である。
本発明を使用するときは、バンド（７）を肩にかけ、取っ手（４）を持ち、受け板（３）と、当て板（５）の間に、板物を奥まで入れ、持ち上げる。受け板（３）の後部を少し丸めることにより、平らに置いてあるところからでも痛みがなく持ち上げられる。
図３、図４のように板物（８）の下部を運搬補助具で、上部を手で支えることで、板物の自重により当て板（５）の下部はＡ方向に、上部はＢ方向に回転するので、板物（８）は受け板（３）と当て板（５）に挟まれて固定されるため、安定性がある。
【図面の簡単な説明】
【０００７】
【図１】  本発明の斜視図
【図２】  本発明の側面図
【図３】  本発明の使用状態を示す側面図
【図４】  本発明の使用状態を示す全体図
【符号の説明】
【０００８】  （１）運搬補助具、（２）側板、（３）受け板、（４）取っ手、（５）当て板、（６）回転軸、（７）バンド、（８）板物
【図１】
2010099438.tif 000003
【図２】
2010099438.tif 000004
【図３】
2010099438.tif 000005
【図４】
2010099438.tif 000006
(57)【要約】【課題】  本発明は、車の運転時に、ヒール靴のかかとにつく汚れや色あせを防ぐ、ヒール靴のかかとカバーを提供する。【解決手段】  ヒール靴に、かかとカバーを装着し、ベルトで調節することができ、汚れや色あせを防ぐことを特徴とする、ヒール靴のかかとカバー。【選択図】図１
2010099435.tif 000002
【特許請求の範囲】
【請求項１】
ヒール靴に、かかとカバーを装着し、ベルトで調節することができ、汚れや色あせを防ぐことを特徴とする、ヒール靴のかかとカバー。
【発明の詳細な説明】
【技術分野】
【０００１】  本発明は、車の運転時に、ヒール靴のかかとにつく汚れや色あせを防ぐ、ヒール靴のかかとカバーに関するものである。
【背景技術】
【０００２】  従来、車の運転時、アクセルを踏む角度によっては、車用マットに擦れてヒール靴のかかとが汚れ、色あせになっていた。
そのため、アクセルを踏み込む、右のかかとを、靴みがき用クリームで磨いていた。
【発明の開示】
【発明が解決しようとする課題】
【０００３】  そのため、次のような問題点があった。
（イ）車の運転時、アクセルを踏む角度によっては、車用マットに擦れてヒール靴のかかとが汚れ、色あせになる。
（ロ）汚れや、色あせを気にして、無理な体勢で車の運転をすることがあり、危険である。
（ハ）汚れや色あせを改善するため、右ヒールかかとのみを靴みがき用クリームで磨くことになり、わずらわしさがあった。
（ニ）かかとのみ、汚れや色あせになると、靴全体は、綺麗に保たれていても、清潔感にかけ、靴を買い換えることになり、不経済である。
本発明は、これらの問題点を解決するためになされたものである。
【課題を解決するための手段】
【０００４】  ヒール靴に、かかとカバーを装着し、ベルトで調節することができ、汚れや色あせ防ぐことができる。
以上を特徴とする、ヒール靴のかかとカバーである。
【発明の効果】
【０００５】  本発明である、ヒール靴のかかとカバーを使用することにより、かかとに、汚れがつかず、色あせを防ぐことができる。
したがって、右ヒールかかとのみを、靴みがき用クリームで磨かなくてすむため、わずらわしさがなくなった。
また、靴全体が、綺麗に保たれ、清潔感がでて、靴を買い換える必要がなくなり経済的である。
また、運転時、汚れ、色あせを気にして、無理な体勢でアクセルを、踏み込むことがなくなったため、安全運転につながった。
ヒール靴のかかとカバーの布は、収縮性があるため、様々な靴のかかとに合う。
ヒールのあるブーツにも、かかとカバーを使用できる。
足首まわりは、靴の種類や人によって異なるため、調節ベルトにより、対応することができる。
【発明を実施するための最良の形態】
【０００６】  以下、本発明の実施の形態について説明する。
（イ）かかとカバー（４）にヒールひっかけバンド（５）を設ける。
（ロ）かかとカバー（４）に調節ベルト（１）を設ける。
（ハ）調節ベルト（１）に留めボタンを設ける。
（ニ）かかとカバー（４）は、収縮性のあるストレッチ素材の布である。
本発明は、以上の構成からなるので、本発明を使用する時は、ヒール（８）にヒールひっかけバンド（５）をひっかける。
かかと（７）にかかとカバー（４）を装着し、調節ベルト（１）を右から左にまわし、留めボタン（３）を留める。調節金具（２）を前後させ、調節ベルト（１）の長さを調節する。
この結果、ヒール靴かかとの、汚れや色あせを防ぐことができる。
【図面の簡単な説明】
【０００７】
【図１】本発明の斜視図
【図２】本発明の使用説明図  右面図
【図３】本発明の使用説明図  左面図
【図４】本発明の使用説明図  後面図
【符号の説明】
【０００８】１  調節ベルト
２  調節金具
３  留めボタン
４  かかとカバー
５  ヒールひっかけバンド
６  ヒールのある靴
７  かかと
８  ヒール
９  足首
【図１】
2010099435.tif 000003
【図２】
2010099435.tif 000004
【図３】
2010099435.tif 000005
【図４】
2010099435.tif 000006
(57)【要約】【課題】雑布、特にセーム皮、又はこれに類する人工の布を短時間で、ムラなく脱水する。【解決手段】網状の床３の上面に並べ置いた雑布等８を、空気袋密閉容器２により前後・左右・上面は密閉してある空気袋１の下面との間で挟んだ後、網状の床３と、空気袋密閉容器２を固定具７及び９によって固定する。これで空気袋１の全方向を密閉・固定した後、空気袋１に圧縮空気を注入すると、雑布等８は強く加圧され脱水を完了する。脱水完了後の雑布等８は空気袋１より圧縮空気を排出した後、可動固定具７を開放して空気袋密閉容器２を持ち上げると取り出せる。【選択図】図１
2010099439.tif 000002
【特許請求の範囲】
【請求項１】
空気袋又はエアーバッグチューブ等の全方向を密閉・遮蔽して、空気袋等に圧縮空気を注入すると膨張し、場合によっては密閉・遮蔽物を内側から破壊さえしてしまう程の大きな力を脱水の原理として借用・転用して雑布等を脱水する装置とするために、空気袋の前・後，左・右，上面は強固な材料で密閉・遮蔽し、下面は網状の床で構成して、網状の床の上面に並べ置いた雑布等を空気袋の下面とで挟んだ状態で空気袋の全方向を密閉・遮蔽状態にした後、圧縮空気を注入して雑布等を脱水する、圧縮空気を利用した雑布等の脱水装置。
【発明の詳細な説明】
【技術分野】
【０００１】  本発明は、密閉状の空間で空気袋を圧縮空気によって膨張・硬直させ、その効果を利用して雑布等を短時間でムラなく脱水する装置である。
【背景技術】
【０００２】  通常、雑布等は手で絞る。しかし洗車用のセーム皮、又はこれに類する人工の布は、手絞りで満足できる状態まで脱水するには相当の腕力を必要とする。電気洗濯機の回転ドラムを転用する場合だと２〜３分程の時間が必要である。又、二本の平行なローラーに挟む場合だと準備として丁寧にたたまないと脱水状態にムラが生じるし、脱水の途中で布がよじれて重り合ったりしてしまい、やはり脱水状態にムラが生じる。又、うまく脱水できたとしても、満足な脱水状態は得られない。
【発明の開示】
【発明が解決しようとする課題】
【０００３】  雑布、特にセーム皮、又はこれに類する人工の布を短時間でムラなく脱水する。
【課題を解決するための手段】
【０００４】  自動車のタイヤとチューブの間に雑布等を挟んで後、チューブに圧縮空気を注入したら、タイヤとチューブの間で加圧されて雑布等は脱水されるのではないかと思いついた。脱水された水はタイヤに穴を貫通させておけばそこから排水される。脱水完了後の雑布等は、チューブから空気を抜けば取り出せる。又、ゴム製のチューブなら、その時、その時の雑布等の凹凸にフィットして平均的に加圧するからムラが生じないので、丁寧にたたむ必要もない。
タオヤとチューブ、タイヤホイールの関係を平面的に再現し、かつ立体的、機能的に構成することで、課題の解決を得た。
【発明の効果】
【０００５】  数枚の雑布、セーム皮又はそれに類する人工の布を特に丁寧にたたむ必要なく極めて短時間でムラなく、満足できる脱水状態を得られる。
必要な空気圧は０．３５Ｍｐａ〜０．４Ｍｐａである。脱水開始から終了までの一連の所要時間は、注入バルブ（４）を開いて空気袋の内圧が設定値に満つるまで要する時間と、注入バルブ（４）を閉じ、排出バルブ（５）を開いて、空気袋の内圧を外気のレベルまで下げるのに要する時間で、全体の９割以上を占める。（ただし、雑布等をすすぎ、並べ置く時間は除く）設定値の内圧を維持して雑布等に加圧する時間は３〜５秒で十分である。
又、空気圧の設定値を変えることで、脱水具合を調節することも可能である。
雑布等を並べ置く網状の床は正方形に限らず長方形、多角形、円形でも自由に設計できるし、設計の大・小によっては一枚のハンカチから衣類・毛布でも対応できる。
衛生面が確保できるなら食品の脱水も可能ではなかろうか。
【発明を実施するための最良の形態】
【０００６】（イ）主な構成要素は、ゴム製の空気袋１と、空気袋１の下面以外を密閉状態とする空気袋密閉容器２、及び空気袋１の下面と接して雑布等８を並べ置き、かつ空気袋密閉容器２と共に空気袋１の全方向を密閉する網状の床３とで構成される。
（ロ）空気袋１と空気袋密閉容器２は一体として構成する。
（ハ）網状の床３の一辺と空気袋密閉容器２の一辺は蝶番６によって固定され、蝶番６の対辺の一辺の固定具７、９によって網状の床３の上面と空気袋１の下面が露出した状態と、逆に網状の床１の上面と空気袋１の下面を密着させた後、固定具７、９により空気袋１の全方向を密閉状とした状態とすることができる。
（ニ）空気袋密閉容器２の一面には（本件では上面）空気袋１に通じて圧縮空気を注入する側のバルブ４が設けられ、更に空気袋１から圧縮空気を排出する側のバルブ５が設けられる。尚三方弁を用いるのも一方法。
（ホ）その他必要な要素としてエアーコンプレッサー及びレギュレーター（空気圧調節器）が必要であるが本件では省略する。因みに前々項で述べたタイヤに相当するのは網状の床３で、チューブは空気袋１であり、タイヤホイールは、空気袋密閉容器２に相当する。
（ヘ）圧縮空気注入バルブ４を閉、圧縮空気排出バルブ５は開の状態にした上で、可動固定具７を開放して空気袋密閉容器２を持ちあげると網状の床３の上面と空気袋１の下面は露出された状態となる。
（ト）露出した網状の床３の上面の面積の八割程内側に、脱水しようとする雑布等８を並べ置く。多少の凹凸は支障ない。
（チ）空気袋密閉容器２を降すと空気袋１の下面と、網状の床３の上面で雑布等８を間に挟んだ状態となり更に固定具７、９によって固定すると空気袋１においては全方向を密閉された状態になる。
（リ）排出バルブ５を閉にした上で、圧縮空気注入バルブ４を開くと空気袋１は膨張しようとするが、前後、左右、上方はすでに密閉されているため下方に向うしかないが、最大に膨張できたとしても網状の床３の上面まででこの時、雑布等８は強く加圧されて収縮し、収縮する時、余分な水分は脱水され、脱水された水滴は網状の床３から排出される。図１
（ヌ）圧縮空気注入バルブ４を閉に、圧縮空気排出バルブ５を開にして、空気袋１の内圧を外気のレベルまで下げる。
（ル）可動固定具７を開放して空気袋密閉容器２を持ち上げると、脱水完了した雑布等を取り出せる。
【図面の簡単な説明】
【０００７】
【図１】本発明の断面図である。
【符号の説明】
【０００８】１、空気袋  ２、空気袋密閉容器  ３、網状の床  ４、圧縮空気注入バルブ  ５、圧縮空気排出バルブ  ６、蝶番  ７、可動固定具  ８、雑布等  ９、固定具
【図１】
2010099439.tif 000003
(57)【要約】      （修正有）【課題】要介護者に食事を与えるとき、要介護者が無理なく食べられ、飲めるよう、確実に口内に投入できる投与器を提供する。【解決手段】要介護者用の流動食（ミキサー食）を、携帯容器の流動食充填用キャップを開けて、スプーンで当該容器に入れ、キャップを閉じる。当該容器には、充填用キャップの反対側に二つ目の投入用キャップ（バックキャップ）があり、要介護者用の口内に投入する際は、この投入用キャップを開けて流動食を流し込む。携帯容器には目盛が付してあるので、投入分量の判断に使用できる。投与器としての携帯容器は、大小各種サイズを用意し、食事用、投薬用に適宜選択して使用する。【選択図】図１
2010099444.tif 000002
【特許請求の範囲】
【請求項１】
介護老人の介護をしていて食事を与えている際、スプーンであげていたらずいぶん時間がかかり、老人の方も口を固く結んであけてくれません。
かなりのストレスを感じ、現在使用している工夫の様に食事をあげたら驚くほど時間も短縮、本人も流動食をその容器に入れてあげたらスムーズに食べてくれて体調の方もだいぶ良くなってきているようです。
【請求項２】
◎  介護人に食事を与える為のケイタイ食事与え器．
◎  ケイタイ器にメモリを入れてあげれば分量もわかる．
◎  大、小あれば食事の時、お薬を投与する等、区別して使用すると便利です。
【発明の詳細な説明】
【技術分野】
【０００１】本器は、食事を与える時に対して時間短縮そして確実に口内に投入できる器．
【背景技術】
【０００２】食事はとても大事で生きているうえでの基本で体力をいかに持続するもので口から物を入れなければ体力につながらない、その為には介護する側のストレスを軽減してなお楽しく食事療法を円滑にすすめる必要が有ります．
【発明が解決しようとする課題】
要介護者の方がムリなく飲める、食べられます．
【発明の効果】
時間も短縮でまわり、手をよごさず．
【発明を実施するための最良の形態】
【実施例】実際に私の母が使用
棒状の状態なので、手が使える人は御自分で試用できる．
【産業上の利用可能性】これからの時代は、治療（介護）を受ける方が多くなるので、合理的に使用してもらいたい．
【図面の簡単な説明】記載なし
【図１】
2010099444.tif 000003
【手続補正書】
【提出日】平成21年2月16日(2009.2.16)
【手続補正１】
【補正対象書類名】明細書
【補正対象項目名】全文
【補正方法】変更
【補正の内容】
【発明の詳細な説明】
【技術分野】
【０００１】    介護用食器
本器は、食事を与える時に対して時間短縮そして確実に口内に投入できる器。
【背景技術】
【０００２】食事はとても大事で生きているうえでの基本で体力をいかに持続するもので口から物を入れなければ体力につながらない、その為には介護する側のストレスを軽減してなお楽しく食事療法を円滑にすすめる必要が有ります。
【発明が解決しようとする課題】
【０００３】要介護者の方がムリなく飲める、食べられます。
【発明の効果】
【０００４】スプーンでは時間かかっていたのがこの容器を使用して短縮することが出来る。
【発明を実施するための最良の形態】
【実施例】
【０００５】実際に手の不自由な私の母に使用しておりますが、手が使える人は御自分で試用できます。
【産業上の利用可能性】
【０００６】これからの時代は、介護（治療）を受ける方が多くなるので、合理的に使用してもらいたい。
【図面の簡単な説明】
【０００７】
【図１】容器図
【符号の説明】▲１▼  キャップを外して中の投入口を口にもって行く。
▲２▼  ミキサー食とか、とろみを使用した食物又は飲み物を▲２▼からスプーンで容器に入れる、容器が透明なので、その人に合わせた食物容量をメモリーでどのくらい食したかが分かる様になっています。
▲３▼  素材はやや柔らかめのプラスチックで電子レンジにも対応出来るようにしたいです。
(57)【要約】【課題】  劣化して使用不可能となったスローアウェイ・バイトを研磨して、再度使用可能とするための装置の提供【解決手段】  劣化したスローアウェイ・バイトを研磨する装置で、スローアウェイ・バイトを搭載し固定する位置決め冶具２のバイトセットホルダーと、２を前進・後退させる４の前進・後退ブロックと、劣化スローアウェイ・バイト研磨を実施する円盤ダイアモンド砥石１８と回転させるインダクション・モーター１７からなる。【選択図】図１
2010099821.tif 000002
【特許請求の範囲】
【請求項１】
劣化スローアウェイ・バイトの刃先Ｒ（ノーズアール）と直線刃部を研磨する装置であって、該装置が劣化スローアウェイ・バイトを固定する冶具と劣化スローアウェイ・バイトを研磨のため動作させる直動ユニット・回転台及び円盤ダイアモンド砥石・モーターからなることを特徴とする劣化スローアウェイ・バイト再生研磨装置。
【発明の詳細な説明】
【技術分野】
【０００１】  劣化したスローアウェイ・バイトを指定の取付台にセットすれば、先端Ｒと直線刃部を容易に研磨でき、廃棄物となるべき同バイトが、再度バイトとして金属加工が可能になるように設計・製作された再生研磨装置
【背景技術】
【０００２】
【特許文献１】▲１▼開２７４２７８４「ドリル製造用のブランク材とドリル」
【特許文献２】▲２▼開２００８−２２１３５２（Ｐ２００８−２２１３５２Ａ）「研磨方法及び研磨装置」  ▲３▼２００６−８２１３９（Ｐ２００５−８２１３９Ａ）「乾式研磨装置及び乾式研磨方法」
【非特許文献１】▲１▼「切削理論とバイト刃先の形状」名古屋大学第二装置開発  河合利秀氏  論文  （２００７．１０．０１）
【非特許文献２】▲２▼バイト研磨台の設計製作  福島県立郡山高等技術専門学校  今泉孝仁氏  論文
【発明の開示】
【発明が解決しようとする課題】
【０００３】  現在の工作機械加工の大半はＮＣプログラムによる自動工作機械によって占められている。【０００４】  よってＮＣプログラムはそのままに、なるべく補正作業を廃し、そのまま加工プログラムとして継続するには、劣化スローアウェイ・バイトの交換の際、スローアウェイ・バイトのみのワンタッチ交換が要求される。【０００５】  交換しようとするスローアウェイ・バイトは劣化すると研磨できず、廃棄物とされる。
【課題を解決するための手段】
【０００６】  本発明は、このような従来の課題を解決すべく鋭意研究・考察を重ねた結果、劣化スローアウェイ・バイトを廃棄物とせず、再利用を可能とする極めて便利で付加価値の高い研磨装置を発明した。
【発明の効果】
【０００７】  劣化スローアウェイ・バイトの再生が可能となったことにより、世界中の各企業にデッドストックとして眠っている劣化スローアウェイ・バイト群が蘇ることで、その経済効果は計り知れない。
【発明を実施するための最良の形態】
【０００８】  同一平面上でスローアウェイ・バイトの先端Ｒ（０．２〜３．２ｍｍ）部分の回転研磨と直線刃部研磨が円盤ダイアモンド砥石の端面で同時姿勢研磨できる装置。
【実施例】
【０００９】  以下、実施するための態様について図１乃至図２を参照して説明する。
図１−１は、本発明に係わる劣化スローアウェイ・バイトを再研磨する装置の全体斜視図である。【００１０】  図１−２は、本装置の研磨部拡大図である。【００１１】  図１−３は、本装置のＡ視正面図である。【００１２】  図２−１は、スローアウェイ・バイトの標準形状である。【００１３】  図２−２、２−３は、本装置で研磨加工される劣化スローアウェイ・バイトの研磨すべき個所である。【００１４】  本発明の再生研磨装置は、スローアウェイ・バイト形状ごとにセット可能な２のバイトセットホルダーが前進・後退・回転することで、スローアウェイ・バイト先端のＲ形成部図２−２（ノーズアール）と直線刃部図２−３がＪＩＳ規定通りの数値に対応した形状研磨が可能となった。【００１５】  また、装置全体は鉄（材質：Ｓ４５Ｃ）を主体としているが、図１の４・６・９・１６は硬質樹脂又はアクリルとしてもよい。【００１６】  １１の搭載台用ストッパを外し、１０のユニット搭載台用レールをクランプしている９のユニット搭載ベースの切り欠き部右側にセットされている９−１のユニット脱着位置決めボルトを緩め、９のユニット搭載ベース全体を引き出し、劣化スローアウェイ・バイト形状に合致した２のバイトセットホルダーを選びセットした後、再び１０のユニット搭載台用レールに９のユニット搭載ベースを戻す。【００１７】  ２のバイトセットホルダーは、７の前進・後退ハンドルを左右に回すことで５のホルダー摺動用レールを介し、４の前進・後退ブロックに伝達され、右に回せば２のバイトセットホルダーに装着されている図２−２の劣化スローアウェイ・バイトのノーズアール部が前進、１８の円盤ダイアモンド砥石端面に接触、ハンドル操作により１／１００ごとの単位で目的としている劣化部（先端Ｒ部及び直線刃部）の研磨加工ができる。【００１８】  図２−３の劣化スローアウェイ・バイト直線刃の研磨は、現在設定位置のまま１４の回転駆動ハンドルを時計回りに回転させれば、ノーズアール研磨量と同等分の研磨が可能となる。【００１９】  同様に反時計回りに回転させれば、図２−３の直線刃部が研磨される。
【産業上の利用可能性】
【００２０】  現在、ＮＣ旋盤・マシニングセンタ等で切削加工に使用しているスローアウェイ・バイトは、劣化すると廃棄処分となる。つまり使い捨てとしているが、新品購入時の価格が比較的高価なため、廃棄処分出来ず、デッドストックとなっている。【００２１】  このようなデッドストック群が再度切削加工に利用されることにより、その産業上の経済的利用効果は大きく、スローアウェイ・バイトの新品を購入した際でも、その寿命は飛躍的に延びることとなり、購入企業側の商品購入価格を大幅に引き下げたことと同等となるため、大幅なコストカットに貢献できる。
【図面の簡単な説明】
【００２２】
【図１】  劣化スローアウェイ・バイトを再生研磨する装置の全体斜視図と、研磨部拡大図、Ａ視正面図である。
【図２】  本装置で研磨加工されるスローアウェイ・バイトの標準形状である。
【符号の説明】
【００２３】  １  劣化スローアウェイ・バイト
２  バイトセットホルダー
３  ホルダー固定蝶ネジ
４  前進・後退ブロック
５  ホルダー摺動用レール
５−１  ユニット取付ベース
６  ハンドル固定台
７  前進・  後退ハンドル
８  引張コイルバネ
９  ユニット搭載ベース
９−１  ユニット脱着位置決めボルト
１０  ユニット搭載台用レール
１１  搭載台用ストッパ
１２  可動ロータリーテーブル
１２−１  テーブル回転センター
１３  固定ロータリーテーブル
１４  回転駆動ハンドル
１５  円摺動・固定調整ボルト
１６  システムベース
１７  インダクションモーター
１８  円盤ダイアモンド砥石
【図１】
2010099821.tif 000003
【図２】
2010099821.tif 000004